(57)【要約】【課題】  ポケット口部を広げて容量を大きくすることができ、繰り返しの使用によっても襠片に損傷が生じない襠付きポケットを得ることができる。また、併せて、未使用時の厚さを従来の蛇腹状の襠片を有するポケットよりもさらに薄くすることができ、製品デザインに与える制約が少ない襠付きポケットを得る。【解決手段】  基シート部材１に重ねられて取り付けられるポケット形成片２と、ポケット形成片２の両側に配置される襠片３とからなる襠付きポケットの、ポケット形成片２と襠片３は、容易に変形しない剛性を有する弾性素材から形成し、ポケット形成片２はポケット底形成縁部６を基シート部材１に固定し、両側縁部７を基シート部材１との間で未固定状態とし、襠片３はポケット形成片２の側縁の表面に一側縁部１０が重なるように配置し、他側縁部１１を基シート部材１に固定した。【選択図】    図１
2019017480.tif 000002
【特許請求の範囲】
【請求項１】
基シート部材に重ねられて取り付けられるポケット形成片と、前記ポケット形成片の両側に配置される襠片とからなる襠付きポケットであって、
前記ポケット形成片と襠片は、容易に変形しない剛性を有する弾性素材からなり、前記ポケット形成片は、ポケット底形成縁部が前記基シート部材に固定され、両側縁部は前記基シート部材との間で未固定状態となっており、前記襠片は、一側縁部を残して前記ポケット形成片の左右側表面部分に重なるように配置され、前記一側縁部が前記基シート部材に固定されていることを特徴とする襠付きポケット。
【請求項２】
基シート部材に重ねられて取り付けられるポケット形成片と、前記ポケット形成片の両側に配置される襠片とからなる襠付きポケットであって、
前記ポケット形成片と襠片は、容易に変形しない剛性を有する弾性素材からなり、前記ポケット形成片は、ポケット底形成縁部が前記基シート部材に固定され、左右側縁部はポケット底形成縁部からポケット口形成縁部に至らない任意の位置まで固定され、ポケット口縁部側が前記基シート部材との間で未固定状態となっており、前記襠片は、一側縁部を残して前記ポケット形成片の左右側表面部分に重なるように配置され、前記一側縁部が前記基シート部材に固定されていることを特徴とする襠付きポケット。
【請求項３】
前記襠片は、ポケット底側縁部が前記基シート部材に固定されていることを特徴とする請求項１または２に記載の襠付きポケット。
【請求項４】
前記ポケット形成片の左右側表面部分に配置された前記襠片は、ポケット底側縁部が連結片で連結されて一体に形成され、前記連結片は前記ポケット形成片のポケット底形成縁部側表面部分に重ねられていることを特徴とする請求項１から３までのいずれか１項に記載の襠付きポケット。
【発明の詳細な説明】
【技術分野】
【０００１】
本発明は、財布、カードケース、鞄等に設けられ、紙幣、カード、小銭、鍵等を収容する襠付きポケットに関する。
【背景技術】
【０００２】
近年、多くの財布、カードケース、カバン等（以下、単に製品という。）に紙幣、カード、小銭、鍵等を収納することができるポケットが設けられている。このようなポケットとして、一般的に製品の本体等を形成する基シート部材に、例えば矩形状に形成されたシート状のポケット形成片を重ね、ポケット形成片の三辺を基シート部材に縫着等により固定して、開放されている一辺をポケット口部とし、基シート部材とポケット形成片の間に形成される空間を収納部とした構造のものがある。
【０００３】
また、このようなポケットには、ポケット形成片の基シート部材への固定を、所定幅を有する襠片を介して行う襠付きポケットが知られている。襠片を介してポケット形成片を基シート部材に固定したポケットは、襠片の幅の分だけポケットに奥行きが出るので、ポケットの容量が増加する。また、収納物の視認がしやすく且つ収納部に指を差し込みやすいので、収納物の出し入れが容易になる。
【０００４】
このような、ポケット形成片を襠片を介して固定する襠付きポケットでは、襠片をポケットの収納部の内側に屈曲させた蛇腹状に形成するといったことが多く採用されている（例えば、特許文献１，２）。このような蛇腹状の襠片によれば、ポケット形成片を外側から基シート部材の方向にポケットを押圧すると、襠片が折り畳まれて、ポケットの奥行きを縮めることができる。そのため、ポケットの不使用時や収納物が少ない場合などには襠片を折り畳むことにより、ポケットの奥行きを抑えて製品のデザインをすっきりとしたものにすることができる。
【先行技術文献】
【特許文献】
【０００５】
【特許文献１】特開２０１３−９４４６２号公報
【特許文献２】特開２００１−１０１９３３号公報
【発明の概要】
【発明が解決しようとする課題】
【０００６】
しかしながら、特許文献１又は２に記載されたような、ポケット形成片を蛇腹状の襠片を介して本体に取り付けた襠付きポケットは、繰り返しの折り畳みにより襠片が傷み破れてしまうおそれがあるといった問題がある。
【０００７】
また、特許文献１又は２に記載されたような襠付きポケットは、ポケットに何ら収容していない場合でも、襠片を有さないポケットに比べて、折り畳まれた襠片により厚みが生じる。この襠片の厚みが製品全体の厚みに影響し、デザインに制約が生じるといった問題がある。
【０００８】
本発明の目的は、ポケット口部を広げ且つ収納容量を大きくすることができ、また、繰り返しの使用によっても襠片に損傷が生じることなく、さらには、未収納時の厚さを薄くすることができ、製品デザインに与える制約が少ない襠付きポケットを提供することにある。
【課題を解決するための手段】
【０００９】
上記目的を達成するため、請求項１に記載の発明は、基シート部材に重ねられて取り付けられるポケット形成片と、前記ポケット形成片の両側に配置される襠片とからなる襠付きポケットであって、前記ポケット形成片と襠片は、容易に変形しない剛性を有する弾性素材からなり、前記ポケット形成片は、ポケット底形成縁部が前記基シート部材に固定され、両側縁部は前記基シート部材との間で未固定状態となっており、前記襠片は、一側縁部を残して前記ポケット形成片の左右側表面部分に重なるように配置され、前記一側縁部が前記基シート部材に固定されていることを特徴とする。
【００１０】
請求項１に記載の襠付きポケットによれば、前記ポケット形成片の中央部位を外側へ引き出すことにより、前記ポケット形成片及び前記襠片が弾性変形して、前記襠片に重なっている前記ポケット形成片の左右側表面部分が前記襠片の内面をスライドして前記襠片から引き出され、これによりポケット口部が広げられるとともに、前記基シート部材と前記ポケット形成片と前記襠片で形成されるポケット収納部の収納容量が大きくなる。
このポケット収納部は、未収納の状態では薄く扁平の状態にあり製品全体の厚みに与える影響が小さく、厚みによる製品のデザイン制約が少ない。また、収納後は、ポケット収納部に収納した収納物は弾性変形したポケット形成片と襠片の復元力により押さえられるので、安定した収納状態を得ることができる。さらに、従来の襠付きポケットのように、その使用にあたり襠片を折り畳む必要が無いため、襠片が傷み破れるといったことを防ぐことができる。
【００１１】
請求項２に記載の発明は、基シート部材に重ねられて取り付けられるポケット形成片と、前記ポケット形成片の両側に配置される襠片とからなる襠付きポケットであって、前記ポケット形成片と襠片は、容易に変形しない剛性を有する弾性素材からなり、前記ポケット形成片は、ポケット底形成縁部が前記基シート部材に固定され、左右側縁部はポケット底形成縁部からポケット口形成縁部に至らない任意の位置まで固定され、ポケット口縁部側が前記基シート部材との間で未固定状態となっており、前記襠片は、一側縁部を残して前記ポケット形成片の左右側表面部分に重なるように配置され、前記一側縁部が前記基シート部材に固定されていることを特徴とする。
【００１２】
請求項２に記載の襠付きポケットによれば、前記ポケット形成片の中央部位を外側へ引き出すことにより、前記ポケット形成片及び前記襠片が弾性変形して、前記襠片に重なっている前記ポケット形成片の前記基シート部材との間で未固定状態となっている前記左右側表面部分が、前記襠片の内面をスライドして襠片から引き出され、これによりポケット口部が広げられるとともに、前記基シート部材と前記ポケット形成片と前記襠片で形成されるポケット収納部の収納容量が大きくなる。
そして、前記ポケット形成片は、ポケット底形成縁部が前記基シート部材に固定され、両側縁部はポケット底形成縁部からポケット口形成縁部に至らない任意の位置まで固定されているので、前記ポケット形成片の前記基シート部材との間で未固定状態となっている前記左右側表面部分を前記襠片から完全に引き出してしまった場合でも、ポケット収納部の底側は確保されることになり、収納物がポケット収納部から脱落してしまうといった事態を防ぐことができる。
このポケット収納部は、未収納の状態では薄く扁平の状態にあり製品全体の厚みに与える影響が小さく、厚みによる製品のデザイン制約が少ない。また、収納後は、ポケット収納部に収納した収納物は弾性変形したポケット形成片と襠片の復元力により押さえられるので、安定した収納状態を得ることができる。さらに、従来の襠付きポケットのように、その使用にあたり襠片を折り畳む必要が無いため、襠片が傷み破れるといったことを防ぐことができる。
【００１３】
請求項３に記載の発明は、請求項１又は２に記載の襠付きポケットであって、前記襠片は、ポケット底側縁部が前記基シート部材に固定されていることを特徴とする。
【００１４】
請求項３に記載の襠付きポケットによれば、前記襠片は、ポケット底側縁部が前記基シート部材に固定されているので、前記一側縁部と前記ポケット底側縁部の２箇所で前記基シート部材に固定された前記襠片は、前記ポケット形成片を引き出したときの前記襠片の弾性変形が抑えられ、前記ポケット形成片の前記左右側表面部分を押さえる力が大きくなる。
これにより、前記ポケット形成片の前記左右側表面部分が前記襠片から安易に抜け出してしまうといった事態を防ぐことができる。また、前記襠片による前記ポケット形成片の前記左右側表面部分を押さえる力が、物品収納時に引き出されて弾性変形した前記ポケット形成片の復元をアシストすることになり、ポケット収納部に収納した収納物は安定した収納状態を得ることができる。
【００１５】
請求項４に記載の発明は、請求項１から３までのいずれか１項に記載の襠付きポケットであって、前記ポケット形成片の左右側表面部分に配置された前記襠片は、ポケット底側縁部が連結片で連結されて一体に形成され、前記連結片は前記ポケット形成片のポケット底形成縁部側表面部分に重ねられていることを特徴とする。
【００１６】
請求項４に記載の襠付きポケットによれば、前記ポケット形成片の左右側表面部位に配置された前記襠片は、ポケット底側縁部が連結片で連結されて一体に形成されているので、前記ポケット形成片を引き出したときの弾性変形が前記連結片により抑えられ、前記ポケット形成片の前記左右側表面部分を押さえる力が大きくなり、前記ポケット形成片の前記左右側表面部位が前記襠片から安易に抜け出してしまうといった事態を防ぐことができる。また、前記襠片による前記ポケット形成片の前記左右側表面部分を押さえる力が、物品収納時に引き出されて弾性変形した前記ポケット形成片の復元をアシストすることになり、ポケット収納部に収納した収納物は安定した収納状態を得ることができる。
また、前記連結片は前記ポケット形成片のポケット底形成縁部側表面部分に重ねられているので、前記ポケット形成片を引き出し過ぎたとしても、前記ポケット形成片の引き出しは前記連結片の位置で阻止される。これにより、ポケット収納部の底側は確保されることになり、収納物がポケット収納部から脱落してしまうといった事態を防ぐことができる。
【発明の効果】
【００１７】
本発明の襠付きポケットによれば、ポケット口部を広げ且つ収納容量を大きくすることができるので容量を広げることができ且つ収納物の収納や取り出しを容易に行うことができ、また、収納物を多く収納できる。また、繰り返しの使用によっても襠片に損傷が生じない襠付きポケットを得ることができる。また、未収納時の厚さを従来の蛇腹状の襠片を有するポケットよりもさらに薄くすることができ、製品デザインに与える制約が少ない襠付きポケットを得ることができる。
【図面の簡単な説明】
【００１８】
【図１】本発明に係る襠付きポケットの第１例を示す斜視図である。
【図２】図１に示す襠付きポケットのポケット形成片を引き出してポケットのポケット口部を広げ、且つ収納容量を大きくした状態を示す斜視図である。
【図３】本発明にかかる襠付きポケットの第２例を示す一部切り欠き斜視図である。
【図４】本発明にかかる襠付きポケットの第３例を示す一部切り欠き斜視図である。
【図５】本発明にかかる襠付きポケットの第４例を示す一部切り欠き斜視図である。
【図６】本発明にかかる襠付きポケットの第５例を示す一部切り欠き斜視図である。
【図７】本発明にかかる襠付きポケットの第６例を示す一部切り欠き斜視図である。
【図８】本発明にかかる襠付きポケットの第７例を示す一部切り欠き斜視図である。
【図９】本発明にかかる襠付きポケットを長財布に実施した状態を示す斜視図である。
【発明を実施するための形態】
【００１９】
本発明の実施の形態の第１例を図１、図２を参照して詳細に説明する。
図１は本発明に係る襠付きポケットの第１例を示す斜視図、図２は図１に示す襠付きポケットのポケット形成片を引き出してポケットのポケット口部を広げ、且つ収納容量を大きくした状態を示す斜視図である。
【００２０】
第１例の襠付きポケットは、財布、カードケース、カバンなどの製品の本体等を形成する基シート部材１に重ねられて取り付けられたポケット形成片２と、ポケット形成片２の両側に配置される襠片３とで構成されている。そして、ポケット形成片２の上縁部側がポケットのポケット口部１６となり、基シート部材１とポケット形成片２との間に形成される空間がポケット収納部１５となっている。ポケット形成片２と襠片３は、いずれも容易に変形しない剛性を有する弾性素材で形成されている。
【００２１】
基シート部材１にあっては、財布、カードケース、カバンなどの製品の本体等を構成するものであり、製品に応じた形状に形成され、材質にあっては特に限定されない。
ポケット形成片２にあっては、矩形状に形成されたシート材であり、下縁部をポケット底形成縁部５とし、上縁部をポケット口形成縁部６としている。ポケット形成片２は基シート部材１に重ねられ、ポケット底形成縁部５が基シート部材１に固定されている。９Ａはポケット底形成縁部５と基シート部材１を固定している固定部である。
【００２２】
基シート部材１へのポケット底形成縁部５の固定は、第１例では縫着により行っているがこれに限定されるものではない。例えば、接着剤又は熱融着によって固定してもよい。
ポケット形成片２の左右の側縁部７は基シート部材１に固定されず、未固定状態になっている。
【００２３】
なお、図示しないが、ポケット形成片２の形状は矩形に限られるものではなく、例えばポケット底形成縁部５を底部方向に突出するＵ字型にしても良い。このようにすれば、ポケットを深くすることができ、ポケット収納部１５の収納容量を大きくすることができる。
【００２４】
襠片３にあっては、矩形状に形成されたシート材であり、下縁部をポケット底側縁部１３とし、上縁部をポケット口側縁部１２としている。
襠片３は、一側縁部１１を残してポケット形成片２の左・右側表面部分８に重なるように配置され、一側縁部１１が基シート部材１に固定されている。９Ｂは襠片３の一側縁部１１と基シート部材１を固定している固定部である。基シート部材１への襠片３の固定は、第１例と同様に縫着により行っているがこれに限定されるものではない。例えば、接着剤又は熱融着によって固定してもよい。
【００２５】
また、襠片３の一側縁部１１を基シート部材１へ固定するにあたり、襠片３の一側縁部１１をポケット形成片２の両側縁部７の端縁７ａに接近した位置で行うことが好ましい。襠片３の一側縁部１１とポケット形成片２の左右の側縁部７の端縁７ａとの隙間を空けるとポケット収納部１５の底部の両側に隙間ができ、収納物が脱落してしまうおそれがある。
【００２６】
また、襠片３におけるポケット形成片２との重なり部分１７の横幅の長さＬは、ポケットの使用の際に、後述するようにポケット形成片２を引き出したときにポケット形成片２の左・右側表面部分８が襠片３内面をスライド移動する長さにあたる。
この重なり部分１７の横幅の長さＬは、ポケット形成片２を引き出すことによりポケット形成片２との間に形成されるポケット収納部１５の奥行きの深さに相当する。重なり部分１７の横幅の長さＬを長くすることにより、ポケット収納部１５の奥行きを深くすることができ、ポケット収納部１５の収納容量を大きくすることができるものであり、重なり部分１７の横幅の長さＬは、ポケトの容量や、ポケットを設ける製品の用途に応じて設定される。
【００２７】
また、ポケット形成片２と襠片３を形成する弾性素材にあっては、いずれも容易に変形しない剛性を有するものであれば特に限定されるものではなく、例えば皮革材や合成樹脂材等が用いられる。ここでいう容易に変形しない剛性とは、製品の通常の使用状態ではポケット形成片２と襠片３の形状が容易に変化せず、ポケット形成片２を引き出すことにより形状が変化したとき、変化した形状の復元力によりポケット収納部１５に収納されている収納物を保持することができる剛性をいう。また、ポケット形成片２の弾性素材と襠片３の弾性素材は異なる素材であってもよく、また弾性率や剛性の強さが異なるものであってもよい。
【００２８】
このように構成された第１例の襠付きポケットの使用及び効果について説明する。
まず、収納物の収納に際しては、ポケット形成片２のポケット口形成縁部６の中央部位を外側へ引っ張る。ポケット口形成縁部６の中央部位が外側へ引っ張られたポケット形成片２は、基シート部材１に固定されているポケット底形成縁部５を軸として外側へ折り曲げられ、これにより、ポケット形成片２及び襠片３が弾性変形して、襠片３に重なっているポケット形成片２の左・右側表面部分８が、襠片３の内面をスライドして襠片３から引き出される。
このようにして、ポケット形成片２を引き出すことによりポケット口部１６が広がるとともに、ポケット形成片２の左・右側表面部分８が引き出された後の襠片３の部分がポケットの襠となり、基シート部材１とポケット形成片２と襠片３で形成されるポケット収納部１５の収納容量が大きくなる（図２参照）。
ポケット形成片２の引き出しは、ポケット形成片２の両側縁部７の端縁７ａが襠片３から外れない範囲とすることが望ましい。
【００２９】
収納物の収納後、ポケット形成片２の引っ張りを解除すると、弾性変形しているポケット形成片２及び襠片３に復元方向に力が働き、ポケット形成片２の復元力によりポケット収納部１５に収納した収納物が押さえられ、そして、襠片３の復元力によりポケット形成片２の左・右側表面部分８が押さえられる。
このように、収納後は、ポケット収納部１５に収納した収納物は弾性変形したポケット形成片２と襠片３の復元力により押さえられるので、安定した収納状態を得ることができる。
【００３０】
本発明に係る襠付きポケットの実施の形態の第２例を図３を参照して詳細に説明する。第２例の襠付きポケットについて、第１例と同一の構成については同一の符号を付してその説明を省略し、第１例と異なる構成についてのみ説明する。
【００３１】
第２例の襠付きポケットは、図３に示すように、ポケット形成片２は、ポケット底形成縁部５が基シート部材１に固定され、ポケット形成片２の左右の側縁部７はポケット底形成縁部５からポケット口形成縁部６に至らない任意の位置まで固定され、ポケット口縁部６側が基シート部材１との間で未固定状態となっている。
【００３２】
９Ｃは左右の側縁部７と基シート部材１を固定している固定部である。ポケット形成片２の左右の側縁部７と基シート部材１の固定は縫着により行っているがこれに限定されるものではない。例えば、接着剤又は熱融着によって固定してもよい。
【００３３】
左右の縁部７と基シート部材１を固定している固定部９Ｃの固定範囲は、特に限定されない。固定部９Ｃの固定範囲が長いと、その分未固定の範囲が短くなり、ポケット口部１６を広げられる範囲が狭く、また、ポケット収納部１５の収納容量も小さくなるが、ポケット収納部１５の底側に形成される袋状部は大きくなり、収納物がポケット収納部１５から脱落してしまうといった事態を効果的に防ぐことができるので、収納物が小さいものである場合に適している。
また、固定部９Ｃの固定範囲が短いと、その分未固定の範囲が長くなり、ポケット収納部１５の底側に形成される袋状部はその分小さくなるが、ポケット口部１６を広げられる範囲が広く、また、ポケット収納部１５の収納容量も大きくなるので、収納物が大きいものである場合に適している。
したがって、ポケット形成片２の左右の側縁部７と基シート部材１を固定している固定部９Ｃの固定範囲は、予定する収納物に応じて定められる。
その他の構成は第１例と同一のため、その説明を援用し省略する。
【００３４】
このように構成された第２例の襠付きポケットの使用及び効果について説明する。
まず、収納物の収納に際しては、第１例と同様に、ポケット形成片２のポケット口形成縁部６の中央部位を外側へ引っ張る。ポケット口形成縁部６の中央部位が外側へ引っ張られたポケット形成片２は、ポケット形成片２の左右の側縁部７と基シート部材１を固定している固定部９Ｃの上端を結んだ仮想軸Ｃとして左右の側縁部７の未固定の範囲にあるポケット形成片２が外側へ折り曲げられる。これにより、左右の側縁部７の未固定の範囲にあるポケット形成片２及び襠片３が弾性変形して、襠片３に重なっているポケット形成片２の左・右側表面部分８が、襠片３の内面をスライドして襠片から引き出される。
【００３５】
このようにして、ポケット形成片２を引き出すことによりポケット口部１６が広がるとともに、ポケット形成片２の左・右側表面部分８が引き出された後の襠片３の部分がポケットの襠となり、基シート部材１とポケット形成片２と襠片３で形成されるポケット収納部１５の収納容量が大きくなる（第１例の図２参照）。ポケット形成片２の引き出しは、ポケット形成片２の左右の側縁部７の端縁７ａが襠片３から外れない範囲とすることが望ましい。
【００３６】
そして、収納物の収納後、ポケット形成片２の引っ張りを解除すると、弾性変形しているポケット形成片２及び襠片３に復元方向に力が働き、ポケット形成片２の復元力によりポケット収納部１５に収納した収納物が押さえられ、そして、襠片３の復元力によりポケット形成片２の左・右側表面部分８が押さえられる。
【００３７】
このように、収納後は、ポケット収納部１５に収納した収納物は弾性変形したポケット形成片２と襠片３の復元力により押さえられるので、安定した収納状態を得ることができる。
また、第２例では、ポケット形成片２は、ポケット底形成縁部５が基シート部材１に固定され、左右の側縁部７はポケット底形成縁部５からポケット口形成縁部６に至らない任意の位置まで固定されているので、左右の側縁部７が基シート部材１との間で未固定状態となっているポケット形成片２の左・右側表面部分８を襠片３から完全に引き出してしまった場合でも、ポケット収納部１５の底側は袋状部として確保されることになり、収納物がポケット収納部１５から脱落してしまうといった事態を防ぐことができる。
【００３８】
本発明にかかる襠付きポケットの実施の形態の第３例を図４を参照して詳細に説明する。第３例の襠付きポケットについて、第１例と同一の構成については同一の符号を付してその説明を省略し、第１例と異なる構成についてのみ説明する。
【００３９】
第３例の襠付きポケットは、図４に示すように、ポケット形成片２の両側に配置されている襠片３は、ポケット底側縁部１３が基シート部材１に固定されている。９Ｄは襠片３のポケット底側縁部１３と基シート部材１を固定している固定部である。襠片３のポケット底側縁部１３と基シート部材１の固定は縫着により行っているがこれに限定されるものではない。例えば、接着剤又は熱融着によって固定してもよい。
【００４０】
襠片３のポケット底側縁部１３と基シート部材１を固定している固定部９Ｄの位置は、ポケット形成片２のポケット底形成縁部５と基シート部材１を固定している固定部９Ａの位置からの上下のズレが少ないことが好ましい。
本例では、固定部９Ｄと固定部９Ａを同一ライン上に位置させている。
その他の構成は第１例と同一のため、その説明を援用し省略する。
【００４１】
第３例の襠付きポケットによれば、襠片３は、ポケット底側縁部１３が基シート部材１に固定されているので、一側縁部１１とポケット底側縁部１３の２箇所で基シート部材１に固定された襠片３は、ポケット形成片２を引き出したときの襠片３の弾性変形が抑えられ、ポケット形成片２の左・右側表面部分８を押さえる力が大きくなる。
【００４２】
これにより、ポケット形成片２の左・右側表面部分８が襠片２から安易に抜け出してしまうといった事態を防ぐことができる。また、襠片３によるポケット形成片２の左・右側表面部分８を押さえる力が、物品収納時に引き出されて弾性変形したポケット形成片２の復元をアシストすることになり、ポケット収納部１５に収納した収納物は安定した収納状態を得ることができる。
【００４３】
さらには、そして、ポケット形成片２の左・右側表面部分８に重ねた襠片３のポケット底側縁部１３の端縁１３ａをポケット形成片２のポケット底形成縁部５の端縁５ａに揃えて縫着することにより、ポケット形成片のポケット底形成縁部５と基シート部材１とを、そして襠片３のポケット底側縁部１３と基シート部材１とを一度の作業で同時に固定することができるので、作業効率が向上する。
その他の効果は第１例と同一なので、その説明を援用し省略する。
【００４４】
本発明にかかる襠付きポケットの実施の形態の第４例を図５を参照して詳細に説明する。第４例の襠付きポケットについて、第２例、第３例と同一の構成については同一の符号を付してその説明を省略し、第２例、第３例と異なる構成についてのみ説明する。
【００４５】
第４例の襠付きポケットは、第２例と同様に、ポケット形成片２は、ポケット底形成縁部５が基シート部材１に固定され、ポケット形成片２の左右の側縁部７はポケット底形成縁部５からポケット口形成縁部６に至らない任意の位置まで固定され、ポケット口縁部６側が基シート部材１との間で未固定状態となっている。そして、第３例と同様に、ポケット形成片２の両側に配置されている襠片３は、ポケット底側縁部１３が基シート部材１に固定されている。
その他の構成は第２例、第３例と同一なので、その説明を援用し省略する。
【００４６】
第４例の襠付きポケットによれば、ポケット形成片２は、ポケット底形成縁部５が基シート部材１に固定され、左右の側縁部７はポケット底形成縁部５からポケット口形成縁部６に至らない任意の位置まで固定されているので、左右の側縁部７が基シート部材１との間で未固定状態となっているポケット形成片２の左・右側表面部分８を襠片３から完全に引き出してしまった場合でも、ポケット収納部１５の底側は袋状部として確保されることになり、収納物がポケット収納部１５から脱落してしまうといった事態を防ぐことができる。
【００４７】
そして、襠片３は、ポケット底側縁部１３が基シート部材１に固定されているので、一側縁部１１とポケット底側縁部１３の２箇所で基シート部材１に固定された襠片３は、ポケット形成片２を引き出したときの襠片３の弾性変形が抑えられ、ポケット形成片２の左・右側表面部分８を押さえる力が大きくなる。これにより、ポケット形成片２の左・右側表面部分８が襠片３から安易に抜け出してしまうといった事態を防ぐことができる。また、襠片３によるポケット形成片２の左・右側表面部分８を押さえる力が、物品収納時に引き出されて弾性変形したポケット形成片２の復元をアシストし、安定した収納状態を得ることができる。
その他の効果は第２例、第３例と同一なので、その説明を援用し省略する。
【００４８】
本発明に係る襠付きポケットの実施の形態の第５例を第６図を参照して詳細に説明する。第５例の襠付きポケットについて、第４例と同一の構成については同一の符号を付してその説明を省略し、第４例と異なる構成についてのみ説明する。
【００４９】
第５例の襠付きポケットは、ポケット形成片２の左右の側縁部７はポケット底形成縁部５からポケット口形成縁部６に至らない任意の位置までの範囲で左右の側縁部７の間の幅がポケット口縁部６側の幅よりも広幅となっており、広幅側縁部７Ａが基シート部材１に固定され、狭幅側縁部７Ｂが基シート部材１との間で未固定状態となっている。
その他の構成は第４例と同一なので、その説明を援用し省略する。
【００５０】
第５例の襠付きポケットによれば、ポケット形成片２の左右の側縁部７はポケット底形成縁部５からポケット口形成縁部６に至らない任意の位置までの範囲で左右の側縁部７の間の幅がポケット口縁部６側の幅よりも広幅となっているので、ポケット形成片２の左・右側表面部分８に重ねた襠片３の一側縁部１１の端縁１１ａをポケット形成片２の広幅側縁部７Ａの端縁７Ａａに揃えて縫着することにより、ポケット形成片２の広幅側縁部７Ａと基シート部材１とを、そして襠片３の一側縁部１１と基シート部材１とを一度の作業で同時に固定することができるので、作業効率が向上する。
その他の効果は第４例と同一なので、その説明を援用し省略する。
【００５１】
本発明に係る襠付きポケットの実施の形態の第６例を第７図を参照して詳細に説明する。第６例の襠付きポケットについて、第３例と同一の構成については同一の符号を付してその説明を省略し、第３例と異なる構成についてのみ説明する。
【００５２】
第６例の襠付きポケットは、ポケット形成片２の左・右側表面部分８に配置された襠片３は、ポケット底側縁部１３が連結片４で連結されて一体に形成され、連結片４はポケット形成片２のポケット底側の表面部分に重ねられている。
【００５３】
本例では連結片４のポケット底側縁部１４が基シート部材１に固定されている。９Ｅは連結片４のポケット底側縁部１４と基シート部材１を固定している固定部である。連結片４のポケット底側縁部１４と基シート部材１の固定は縫着により行っているがこれに限定されるものではない。例えば、接着剤又は熱融着によって固定してもよい。連結片４のポケット底側縁部１４と基シート部材１を固定している固定部９Ｅの位置は、ポケット形成片２のポケット底形成縁部５と基シート部材１を固定している固定部９Ａの位置からの上下のズレが少ないことが好ましい。
【００５４】
本例では、固定部９Ｅと固定部９Ａを同一ライン上に位置させている。また、本例では、連結片４のポケット底側縁部１４と基シート部材１を固定している固定部９Ｅの位置と襠片３のポケット底側縁部１３と基シート部材１を固定している固定部９Ｄの位置を同一ライン上に位置させている。
その他の構成は第３例と同一のため、その説明を援用し省略する。
【００５５】
第６例の襠付きポケットによれば、ポケット形成片２の左・右側表面部位８に配置された襠片３は、ポケット底側縁部１３が連結片１４で連結されて一体に形成されているので、ポケット形成片２を引き出したときの弾性変形が連結片４により抑えられ、ポケット形成片２の左・右側表面部分８を押さえる力が大きくなり、ポケット形成片２の左・右側表面部分８が襠片３から安易に抜け出してしまうといった事態を防ぐことができる。また、襠片３によるポケット形成片２の左・右側表面部分８を押さえる力が、物品収納時に引き出されて弾性変形したポケット形成片２の復元をアシストし、安定した収納状態を得ることができる。
【００５６】
また、連結片４はポケット形成片２のポケット底側の表面部分に重ねられているので、ポケット形成片２を引き出し過ぎたとしても、ポケット形成片２の引き出しは連結片４の位置で阻止される。これにより、ポケット収納部１５の底側は確保されることになり、収納物がポケット収納部１５から脱落してしまうといった事態を防ぐことができる。
その他の効果は第３例と同一のため、その説明を援用し省略する。
【００５７】
本発明に係る襠付きポケットの実施の形態の第７例を図８を参照して詳細に説明する。第７例の襠付きポケットについて、第５例、第６例のいずれか一例と同一の構成については同一の符号を付してその説明を省略し、第５例、第６例と異なる構成についてのみ説明する。
【００５８】
第７例の襠付きポケットは、第５例と同様に、ポケット形成片２の左右の側縁部７はポケット底形成縁部５からポケット口形成縁部６に至らない任意の位置までの範囲で左右の側縁部７の間の幅がポケット口縁部６側の幅よりも広幅となっており、広幅側縁部７Ａが基シート部材１に固定され、狭幅側縁部７Ｂが基シート部材１との間で未固定状態となっている。
【００５９】
そして、ポケット形成片２の左・右側表面部分８に配置された襠片３は、第６例と同様に、ポケット底側縁部１３が連結片４で連結されて一体に形成され、連結片４はポケット形成片２のポケット底側の表面部分に重ねられている。
その他の構成は第５例、第６例と同一なので、その説明を援用し省略する。
【００６０】
第７例の襠付きポケットによれば、ポケット形成片２の左右の側縁部７はポケット底形成縁部５からポケット口形成縁部６に至らない任意の位置までの範囲で左右の側縁部７の間の幅がポケット口縁部６側の幅よりも広幅となっているので、ポケット形成片２の左・右側表面部分８に重ねた襠片３の一側縁部１１の端縁１１ａをポケット形成片２の広幅側縁部７Ａの端縁７Ａａに揃えて縫着することにより、ポケット形成片２の広幅側縁部７Ａと基シート部材１とを、そして襠片３の一側縁部１１と基シート部材１とを一度の作業で同時に固定することができるので、作業効率が向上する。
その他の効果は第５例、第６例と同一なので、その説明を援用し省略する。
【００６１】
次に、本発明に係る襠付きポケットを二つ折りの財布に実施した実施例について図面を参照して詳細に説明する。図９は本発明にかかる襠付きポケットを長財布に実施した状態を示す斜視図である。
【００６２】
長財布２０について説明すると、財布２０の本体は基シート部材１により形成されており、基シート部材１は矩形状に形成され、中央に設定された折り曲げ部２１から内面側に向かって二つ折りされるように構成されている。
【００６３】
基シート部材１における折り曲げ部２１を挟んで有する一方の内面には、ポケット形成片２と、ポケット形成片２の両側に配置される襠片３とが重ねられて取り付けられ、前記実施例１〜７に示す襠付きポケットが形成されている。本例では、実施例７に示す襠付きポケットが形成されている。
また、本例の財布２０の基シート部材１における折り曲げ部２１を挟んで有する他方の内面には、カード収容部が形成されている。このカード収容ポケットにあっては、公知のカード収容部となっている。
【００６４】
このような襠付きポケットを有する財布２０によれば、ポケット口形成縁部６の中央部位を外側へ引き出すことにより、ポケットのポケット口部１６を広げて容量を大きくすることができる。また、未収納時にあっては、襠付きポケットの厚さを従来の蛇腹状の襠片を有するポケットよりもさらに薄い状態にすることができるので、財布２０の全体の厚みを薄くすることができるので、財布２０のデザインの制約を少なくすることができる。
【符号の説明】
【００６５】
１  基シート部材
２  ポケット形成片
３  襠片
４  連結片
５  ポケット底形成縁部
５ａ  端縁
６  ポケット口形成縁部
７  左右の側縁部
７ａ  端縁
７Ａ  広幅側縁部
７Ｂ  狭幅側縁部
７Ａａ  端縁
８  左・右側表面部分
９Ａ、９Ｂ、９Ｃ、９Ｄ、９Ｅ  固定部
１１  一側縁部
１１ａ  端縁
１２  ポケット口側縁部
１３  ポケット底側縁部
１３ａ  端縁
１４  ポケット底側縁部
１５  ポケット収納部
１６  ポケット口部
１７  重なり部分
２０  財布
２１  折り曲げ部
【図１】
2019017480.tif 000003
【図２】
2019017480.tif 000004
【図３】
2019017480.tif 000005
【図４】
2019017480.tif 000006
【図５】
2019017480.tif 000007
【図６】
2019017480.tif 000008
【図７】
2019017480.tif 000009
【図８】
2019017480.tif 000010
【図９】
2019017480.tif 000011